(57)【特許請求の範囲】
【請求項１】
無線通信ネットワークにおける近隣のセルからの受信信号をランク付けする方法であって、
前記近隣のセルからの受信信号を求めて、探索することと、
前記受信信号の第１のセットをグループ化することと、
前記受信信号の第１のセットにおいて干渉除去（ＩＣ）を実行することと、
前記受信信号の第２のセットをグループ化することと、ここで、前記第２のセットは、前記受信信号の第１のセットにおけるＩＣを実行した後、前記近隣セルからの残りの受信信号を求めて探索することによって得られた受信信号からの信号を備える、
前記第１のセットおよび前記第２のセットにおける受信信号をランク付けすることと、ここで、前記ランク付けすることは、所与のどのセットが所与の受信信号を含むのかに基づいて、所与の受信信号のランクを決定することを備える、
を備える方法。
【請求項２】
前記受信信号の第１のセットのＩＣを実行した後、前記残りの受信信号を規格化すること、をさらに備える請求項１に記載の方法。
【請求項３】
前記ランク付けはさらに、所与のセット内の所与の受信信号の優先度に基づく、請求項１に記載の方法。
【請求項４】
前記受信信号は、一次同期信号（ＰＳＳ）および二次同期信号（ＳＳＳ）を含む、請求項１に記載の方法。
【請求項５】
別の論理動作において、次の近隣セル探索サイクルとＩＣとのうちの少なくとも１つの間に、前記ランク付けすることを適用すること、をさらに備える請求項１に記載の方法。
【請求項６】
前記第１のセットをグループ化することと、前記第２のセットをグループ化することとはさらに、信号強度、物理ブロードキャスト・チャネル確認、セル特有の基準シグナリング（ＣＲＳ）、およびチャネル状態情報基準シグナリング（ＣＳＩ−ＲＳ）のうちの少なくとも１つに、少なくとも部分的に基づいてグループ化することを備える、請求項１に記載の方法。
【請求項７】
後のＩＣのために前記ランク付けを使用すること、をさらに備える請求項１に記載の方法。
【請求項８】
各受信信号について、セルＩＤ、ラジオ・フレーム境界タイミング情報、サイクリック・プレフィクス（ＣＰ）情報、タイム・スタンプ、およびレイヤ情報のうちの少なくとも１つを記録すること、をさらに備える請求項１に記載の方法。
【請求項９】
無線通信ネットワークにおける近隣のセルからの受信信号をランク付けするように構成された装置であって、
前記近隣のセルからの受信信号を求めて、探索する手段と、
前記受信信号の第１のセットをグループ化する手段と、
前記受信信号の第１のセットにおいて干渉除去（ＩＣ）を実行する手段と、
前記受信信号の第２のセットをグループ化する手段と、ここで、前記第２のセットは、前記受信信号の第１のセットにおけるＩＣを実行した後、前記近隣セルからの残りの受信信号を求めて探索することによって得られた受信信号からの信号を備える、
所与のどのセットが所与の受信信号を含むのかに基づいて、所与の受信信号のランクを決定することによって、前記第１のセットおよび前記第２のセット内の受信信号をランク付けする手段と、
を備える装置。
【請求項１０】
前記ランク付けはさらに、所与のセット内の所与の受信信号の優先度に基づく、請求項９に記載の装置。
【請求項１１】
別の論理動作において、次の近隣セル探索サイクルとＩＣとのうちの少なくとも１つの間に、前記ランク付けを適用する手段、をさらに備える請求項９に記載の装置。
【請求項１２】
後のＩＣのために前記ランク付けを使用する手段、をさらに備える請求項９に記載の装置。
【請求項１３】
無線通信ネットワークにおける近隣のセルからの受信信号をランク付けするためのプログラムを記憶したコンピュータ読取可能な記憶媒体であって、前記プログラムは、
前記近隣のセルからの受信信号を求めて、探索するためのプログラム・コードと、
前記受信信号の第１のセットをグループ化するためのプログラム・コードと、
前記受信信号の第１のセットにおいて干渉除去（ＩＣ）を実行するためのプログラム・コードと、
前記受信信号の第２のセットをグループ化するためのプログラム・コードと、ここで、
前記第２のセットは、前記受信信号の第１のセットにおけるＩＣを実行した後、前記近隣セルからの残りの受信信号を求めて探索することによって得られた受信信号からの信号を備える、
所与のどのセットが所与の受信信号を含むのかに基づいて、所与の受信信号のランクを決定することによって、前記第１のセットおよび前記第２のセット内の受信信号をランク付けするためのプログラム・コードと、
を備えるコンピュータ読取可能な記憶媒体。
【請求項１４】
前記ランク付けはさらに、所与のセット内の所与の受信信号の優先度に基づく、請求項１３に記載のコンピュータ読取可能な記憶媒体。
【請求項１５】
前記プログラムは、別の論理動作において、次の近隣セル探索サイクルとＩＣとのうちの少なくとも１つの間に、前記ランク付けすることを適用するためのプログラム・コードをさらに備える、請求項１３に記載のコンピュータ読取可能な記憶媒体。
【請求項１６】
前記プログラムは、後のＩＣのために前記ランク付けを使用するためのプログラム・コード、をさらに備える、請求項１３に記載のコンピュータ読取可能な記憶媒体。
【請求項１７】
無線通信ネットワークにおける近隣のセルからの受信信号をランク付けするように構成された装置であって、
少なくとも１つのプロセッサと、前記少なくとも１つのプロセッサに接続されたメモリとを備え、
前記少なくとも１つのプロセッサは、
前記近隣のセルからの受信信号を求めて、探索し、
前記受信信号の第１のセットをグループ化し、
前記受信信号の第１のセットにおいて干渉除去（ＩＣ）を実行し、
前記受信信号の第２のセットをグループ化し、ここで、前記第２のセットは、前記受信信号の第１のセットにおけるＩＣを実行した後、前記近隣セルからの残りの受信信号を求めて探索することによって得られた受信信号からの信号を備える、
所与のどのセットが所与の受信信号を含むのかに基づいて、所与の受信信号のランクを決定することによって、第１のセットおよび第２のセット内の受信信号をランク付けする、ように構成された装置。
【請求項１８】
前記少なくとも１つのプロセッサはさらに、前記受信信号の第１のセットのＩＣを実行した後、前記残りの受信信号を規格化する、ように構成された請求項１７に記載の装置。
【請求項１９】
前記ランク付けはさらに、所与のセット内の所与の受信信号の優先度に基づく、請求項１７に記載の装置。
【請求項２０】
前記受信信号は、一次同期信号（ＰＳＳ）および二次同期信号（ＳＳＳ）を含む、請求項１７に記載の装置。
【請求項２１】
前記少なくとも１つのプロセッサはさらに、別の論理動作において、次の近隣セル探索サイクルとＩＣとのうちの少なくとも１つの間に、前記ランク付けすることを適用するように構成された、請求項１７に記載の装置。
【請求項２２】
前記少なくとも１つのプロセッサはさらに、信号強度、物理ブロードキャスト・チャネル確認、セル特有の基準シグナリング（ＣＲＳ）、およびチャネル状態情報基準シグナリング（ＣＳＩ−ＲＳ）のうちの少なくとも１つに、少なくとも部分的に基づいて、前記第１のセットおよび前記第２のセットをグループ化するように構成された、請求項１７に記載の装置。
【請求項２３】
前記少なくとも１つのプロセッサはさらに、後のＩＣのために前記ランク付けを使用するように構成された、請求項１７に記載の装置。
【請求項２４】
前記少なくとも１つのプロセッサはさらに、各受信信号について、セルＩＤ、ラジオ・フレーム境界タイミング情報、サイクリック・プレフィクス（ＣＰ）情報、タイム・スタンプ、およびレイヤ情報のうちの少なくとも１つを記録するように構成された、請求項１７に記載の装置。
【発明の詳細な説明】
【関連出願に対する相互参照】
【０００１】
本願は、２００９年１１月２４日に出願された米国仮特許出願６１／２６４，２２１号と、２０１０年９月７日に出願された米国仮特許出願６１／３８０，５８８号との利益を主張する。これらの開示は、全体が参照によって本明細書に明確に組み込まれている。
【技術分野】
【０００２】
本開示の態様は、一般に、無線通信システムに関し、さらに詳しくは、ロング・ターム・イボリューション（ＬＴＥ）無線通信システムためのレイヤ・セル探索を容易にすることに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。通常、多元接続ネットワークであるこのようなネットワークは、利用可能なネットワーク・リソースを共有することによって、複数のユーザの通信をサポートする。このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。このような多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局またはノードＢを含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【発明の概要】
【０００５】
本開示は、レイヤリングを用いて、近隣のセルを分離および除去するために、信号をランク付けすることに関する。さまざまなセルからの受信信号は、レイヤにグループ化されうる。ここで、おのおののレイヤは、特定のメトリック（例えば、信号強度）内で同等の受信信号を含む。特定のレイヤ内の信号はまた、所望のメトリックにしたがってランク付けされうる。除去サイクルの開始時において、ＵＥは、レイヤリングおよびランク付けを実行しうる。いくつかの態様において、レイヤリングおよびランク付けが実行されると、ＵＥは、除去の後半のためにレイヤリングおよびランク付けを使用し続け、受信信号の、繰り返されるランク付けのために特化されるであろう処理リソースを解放する。
【０００６】
本開示の１つの態様では、無線通信ネットワークにおいて、近隣のセルから受信した信号をランク付けするための方法が提供される。この方法は、近隣のセルからの受信信号を求めて、探索することを含む。この方法はまた、受信信号の第１のセットをグループ化することをも含む。この方法はまた、受信信号の第１のセットにおいて干渉除去（ＩＣ）を実行することを含む。この方法はさらに、受信信号の第２のセットをグループ化することを含む。第２のセットは、残りの受信信号からの信号を含む。さらに、この方法は、第１のセットおよび第２のセットにおける受信信号をランク付けすることを含む。このランク付けは、所与のどのセットが所与の受信信号を含むのかに基づいて、所与の受信信号のランクを決定することを含む。
【０００７】
本開示の別の態様では、装置は、無線通信ネットワークにおいて、近隣のセルから受信した信号をランク付けするように構成される。この装置は、近隣のセルからの受信信号を求めて、探索する手段を含む。この装置はまた、受信信号の第１のセットをグループ化する手段を含む。この装置はまた、受信信号の第１のセットにおいて干渉除去（ＩＣ）を実行する手段を含む。この装置はさらに、受信信号の第２のセットをグループ化する手段を含む。第２のセットは、残りの受信信号からの信号を含む。さらに、この装置は、所与のどのセットが所与の受信信号を含むのかに基づいて、所与の受信信号のランクを決定することによって、第１のセットおよび第２のセット内の受信信号をランク付けする手段を含む。
【０００８】
本開示のさらに別の態様では、コンピュータ・プログラム製品が、無線通信ネットワークにおける近隣のセルから受信した信号をランク付けするように構成される。コンピュータ・プログラム製品は、記録されたプログラム・コードを備えたコンピュータ読取可能な媒体を有する。このプログラム・コードは、近隣のセルからの受信信号を求めて、探索するためのプログラム・コードを含む。プログラム・コードはまた、受信信号の第１のセットをグループ化するためのプログラム・コードをも含む。プログラム・コードはまた、受信信号の第１のセットにおいて干渉除去（ＩＣ）を実行するためのプログラム・コードをも含む。プログラム・コードはさらに、受信信号の第２のセットをグループ化するためのプログラム・コードを含む。第２のセットは、残りの受信信号からの信号を含む。さらに、プログラム・コードは、所与のどのセットが所与の受信信号を含むのかに基づいて、所与の受信信号のランクを決定することによって、第１のセットおよび第２のセット内の受信信号をランク付けするためのプログラム・コードを含む。
【０００９】
本開示のさらなる態様では、装置が、無線通信ネットワークにおける近隣のセルから受信した信号をランク付けするように構成される。この装置は、プロセッサ（単数または複数）と、プロセッサに接続されたメモリとを有する。このプロセッサ（単数または複数）は、近隣のセルからの受信信号を求めて、探索するように構成される。このプロセッサ（単数または複数）はさらに、受信信号の第１のセットをグループ化するように構成される。このプロセッサ（単数または複数）はさらに、受信信号の第１のセットにおいて干渉除去（ＩＣ）を実行するように構成される。このプロセッサ（単数または複数）はさらに、受信信号の第２のセットをグループ化するように構成される。第２のセットは、残りの受信信号からの信号を含む。さらに、このプロセッサ（単数または複数）は、所与のどのセットが所与の受信信号を含むのかに基づいて、所与の受信信号のランクを決定することによって、第１のセットおよび第２のセット内の受信信号をランク付けするように構成される。
【図面の簡単な説明】
【００１０】
本開示の特徴、特性、および利点は、同一の参照符号が全体を通じて同一物に特定している図面とともに考慮された場合、以下に記載する詳細な記述からより明らかになるだろう。
【図１】図１は、モバイル通信システムの例を概念的に例示するブロック図である。
【図２】図２は、モバイル通信システムにおけるダウンリンク・フレーム構造の一例を概念的に例示するブロック図である。
【図３】図３は、アップリンク通信における典型的なフレーム構造を概念的に例示するブロック図である。
【図４】図４は、本開示の１つの態様にしたがって構成された基地局／ｅＮＢとＵＥとの設計を概念的に例示するブロック図である。
【図５】図５は、従来技術における受信セル信号を例示する典型的な図解である。
【図６】図６は、本開示の１つの態様にしたがう受信信号のレイヤリングを例示する典型的な図解である。
【図７】図７は、本開示の１つの態様にしたがう受信信号のレイヤリングを例示する典型的な図解である。
【図８】図８は、本開示の１つの態様にしたがう近隣セル・リストを例示する典型的な図解である。
【図９Ａ】図９Ａは、本開示の態様にしたがう干渉除去方法を例示する。
【図９Ｂ】図９Ｂは、本開示の態様にしたがう干渉除去方法を例示する。
【図１０】図１０は、本開示の１つの態様にしたがうフロー図である。
【発明を実施するための形態】
【００１１】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション産業協会（ＴＩＡ：Telecommunications Industry Association）のＣＤＭＡ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００技術は、電子産業協会（ＥＩＡ：Electronics Industry Alliance）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００およびＵＭＢは、「第３世代パートナシップ計画プロジェクト」（３ＧＰＰ２）と呼ばれる組織からの文書に記載されている。本明細書で記載された技術は、他の無線ネットワークおよびラジオ・アクセス技術と同様に、上述された無線ネットワークおよびラジオ・アクセス技術のために使用されうる。明確化のために、これら技術のある態様は、以下において、ＬＴＥまたはＬＴＥ−Ａ（あるいは“ＬＴＥ／Ａ−”としてともに称される）について記載されており、ＬＴＥ／−Ａ用語が以下の説明の多くで使用される。
【００１３】
図１は、ＬＴＥ−Ａネットワークでありうる無線通信ネットワーク１００を示す。無線ネットワーク１００は、多くのイボルブド・ノードＢ（ｅＮＢ）１１０およびその他のネットワーク・エンティティを含む。ｅＮＢは、ＵＥと通信する局であり、基地局、ノードＢ、アクセス・ポイント等とも称されうる。おのおののｅＮＢ１１０は、特定の地理的エリアのために通信有効範囲を提供する。３ＧＰＰでは、用語「セル」は、この用語が使用されるコンテキストに依存して、この有効通信範囲エリアにサービス提供しているｅＮＢおよび／またはｅＮＢサブシステムからなるこの特定の有効通信範囲エリアを称しうる。
【００１４】
ｅＮＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、自宅）をカバーし、フェムト・セルとの関連を持つＵＥ（例えば、クローズド加入者グループ（ＣＳＧ）におけるＵＥ）、自宅内のユーザのためのＵＥ等による無制限のアクセスを提供しうる。マクロ・セルのためのｅＮＢは、マクロｅＮＢと称されうる。ピコ・セルのためのｅＮＢは、ピコｅＮＢと称されうる。そして、フェムト・セルのためのｅＮＢは、フェムトｅＮＢまたはホームｅＮＢと称されうる。図１に示す例では、ｅＮＢ１１０ａ、１１０ｂ、１１０ｃは、マクロ・セル１０２ａ、１０２ｂ、１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ、１１０ｚは、それぞれフェムト・セル１０２ｙ、１０２ｚのためのフェムトｅＮＢである。ｅＮＢは、１または複数（例えば、２つ、３つ、４つ等）のセルをサポートしうる。
【００１５】
無線ネットワーク１００はさらに、中継局をも含みうる。中継局は、データおよび／またはその他の情報の送信を上流局（例えば、ｅＮＢ、ＵＥ等）から受信し、データおよび／またはその他の情報の送信を下流局（例えば、別のＵＥ、別のｅＮＢ等）へ送信する局である。中継局はまた、他のＵＥのための送信を中継するＵＥでもありうる。図１に示される例において、中継局１１０ｒは、ｅＮＢ１１０ａおよびＵＥ１２０ｒと通信しうる。ここでは、中継局１１０ｒは、２つのネットワーク要素（ｅＮＢ１１０ａとＵＥ１２０ｒ）間の通信を容易にするために、これら２つのネットワーク要素間のリレーとして動作する。中継局はまた、リレーｅＮＢ、リレー等とも称されうる。
【００１６】
無線ネットワーク１００は、同期動作または非同期動作を支援しうる。同期動作の場合、ｅＮＢは、類似したフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。ここに記載された技術は、同期動作あるいは非同期動作の何れかのために使用されうる。
【００１７】
ネットワーク・コントローラ１３０は、ｅＮＢのセットに接続しており、これらｅＮＢのための調整および制御を提供しうる。ネットワーク・コントローラ１３０は、バックホール１３２を介してｅＮＢ１１０と通信しうる。ｅＮＢ１１０はまた、例えば、ダイレクトに、または、無線バックホール１３４または有線バックホール１３６を介して非ダイレクトに、互いに通信しうる。
【００１８】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、２つの矢印を持つ実線が、ＵＥと、ダウンリンクおよび／またはアップリンクでＵＥにサービス提供するように指定されたｅＮＢであるサービス提供ｅＮＢとの間の所望の送信を示す。２つの矢印を持つ破線は、ＵＥとｅＮＢとの間の干渉送信を示す。
【００１９】
ＬＴＥ／−Ａは、ダウンリンクで直交周波数分割多重化（ＯＦＤＭ）を、アップリンクでシングル・キャリア周波数分割多重化（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）の対応するシステム帯域幅についてそれぞれ１２８、２５６、５１２、１０２４、２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚの対応するシステム帯域幅についてそれぞれ１、２、４、８、１６のサブ帯域が存在しうる。
【００２０】
図２は、ＬＴＥ／−Ａにおいて使用されるダウンリンク・フレーム構造を示す。ダウンリンクのこの送信タイムラインは、ラジオ・フレームの単位に分割されうる。おのおののラジオ・フレームは、（例えば１０ミリ秒（ｍｓ）のような）予め定めた持続時間を有し、０乃至９のインデクスを持つ１０個のサブフレームへ分割されうる。サブフレームはそれぞれ２つのスロットを含みうる。ラジオ・フレームはそれぞれ、０乃至１９のインデクスを備えた２０のスロットを含みうる。おのおののスロットは、例えば、（図２に示すように）通常のサイクリック・プレフィクスの場合、７つのシンボル期間、拡張されたサイクリック・プレフィクスの場合、１４のシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。リソース・ブロックはそれぞれ１つのスロットにおいてＮ個のサブキャリア（例えば、１２のサブキャリア）をカバーしうる。
【００２１】
ＬＴＥ／−Ａでは、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０、５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２２】
図２で見られるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用される多く（Ｍ個）のシンボル期間を伝送しうる。ここで、Ｍは、１、２、または３に等しく、サブフレーム毎に変化しうる。Ｍはまた、例えば、１０未満のリソース・ブロックのように、少数のシステム帯域幅に対して４に等しくなりうる。図２に示す例では、Ｍ＝３である。ｅＮＢは、おのおののサブフレームの最初のＭ個のシンボル期間において、物理ＨＡＲＱインジケータ・チャネル（ＰＨＩＣＨ）と物理ダウンリンク制御チャネル（ＰＤＣＣＨ）とを送信しうる。ＰＤＣＣＨとＰＨＩＣＨはまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクにおけるデータ送信のためにスケジュールされたＵＥのためのデータを伝送しうる。
【００２３】
ＬＴＥ−Ａは、各サブフレームの制御セクション、すなわち、各サブフレームの第１のシンボル期間においてＰＨＩＣＨおよびＰＤＣＣＨを送信することに加えて、各サブフレームのデータ・セクションでこれら制御指向のチャネルをも送信しうる。図２に示すように、例えば中継−物理ダウンリンク制御チャネル（Ｒ−ＰＤＣＣＨ）および中継−物理ＨＡＲＱインジケータ・チャネル（Ｒ−ＰＨＩＣＨ）のように、データ領域を利用するこれら新たな制御設計は、各サブフレームの後半のシンボル期間に含まれる。Ｒ−ＰＤＣＣＨは、半デュプレクス中継動作のコンテキストでもともと開発されたデータ領域を利用する、新たなタイプの制御チャネルである。１つのサブフレーム内の最初のいくつかの制御シンボルを占有するレガシーＰＤＣＣＨおよびＰＨＩＣＨとは異なり、Ｒ−ＰＤＣＣＨおよびＲ−ＰＨＩＣＨは、もともとデータ領域として指定されたリソース要素（ＲＥ）へマップされる。新たな制御チャネルは、周波数分割多重（ＦＤＭ）、時分割多重（ＴＤＭ）、あるいはＦＤＭとＴＤＭとの組み合わせの形態をとりうる。
【００２４】
ｅＮＢは、ｅＮＢによって使用されるシステム帯域幅の中心１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥにブロードキャスト方式でＰＳＳ、ＳＳＳ、ＰＢＣＨ、ＰＣＦＩＣＨ、およびＰＨＩＣＨを送信し、特定のＵＥにユニキャスト方式でＰＤＣＣＨを送信し、さらに、特定のＵＥにユニキャスト方式でＰＤＳＣＨを送信しうる。
【００２５】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。各シンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔で配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０、１、２に分散されうる。ＰＤＣＣＨは、最初のＭ個のシンボル期間内に、９、１８、３２、または６４のＲＥＧを占有しうる。これらは、利用可能なＲＥＧから選択されうる。複数のＲＥＧのある組み合わせのみが、ＰＤＣＣＨのために許可されうる。
【００２６】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせ数よりも少ない。ｅＮＢは、ＵＥが探索する組み合わせのうちの何れかのＵＥにＰＤＣＣＨを送信しうる。
【００２７】
ＵＥは、複数のｅＮＢの有効通信範囲内に存在しうる。これらのｅＮＢのうちの１つは、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００２８】
図３は、アップリンク・ロング・ターム・イボリューション（ＬＴＥ）通信における典型的なフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計によって、データ・セクションは、連続したサブキャリアを含むようになる。これによって、単一のＵＥに、連続するサブキャリアのすべてが、データ・セクションに割り当てられるようになる。
【００２９】
ＵＥは、ｅＮＢへ制御情報を送信するために、制御セクションにおいてリソース・ブロックを割り当てられうる。ＵＥはまた、ｅノードＢへデータを送信するために、データ・セクションにおいてリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットにおよび、図３に示すように、周波数を越えてホップしうる。１つの態様によれば、緩和された単一キャリア動作では、並列チャネルが、ＵＬリソースで送信されうる。例えば、制御およびデータ・チャネル、並列制御チャネル、および並列データ・チャネルが、ＵＥによって送信されうる。
【００３０】
ＰＳＳ、ＳＳＳ、ＣＲＳ、ＰＢＣＨ、ＰＵＣＣＨ、ＰＵＳＣＨ、および、ＬＴＥ／−Ａで使用されるその他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記述されている。
【００３１】
図４は、図１における基地局／ｅＮＢのうちの１つ、およびＵＥのうちの１つでありうる、基地局／ｅＮＢ１１０とＵＥ１２０との設計のブロック図を示す。基地局１１０は、図１におけるマクロｅＮＢ１１０ｃでありうる。そして、ＵＥ１２０は、ＵＥ１２０ｙでありうる。基地局１１０はさらに、その他いくつかのタイプの基地局でありうる。基地局１１０は、アンテナ４３４ａ乃至４３４ｔを備え、ＵＥ１２０は、アンテナ４５２ａ乃至４５２ｒを備えうる。
【００３２】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００３３】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３４】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）復調器４５４ａ乃至４５４ｒによって処理され、基地局１１０へ送信される。基地局１１０では、ＵＥ１２０からのアップリンク信号が、アンテナ４３４によって受信され、変調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。
【００３５】
コントローラ／プロセッサ４４０、４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図５に例示された機能ブロック、および／または、本明細書に記載された技術のためのその他の処理の実行または実行の指示を行いうる。メモリ４４２、４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３６】
近隣のセルを分離および除去するために、ＵＥによって多くの方法が適用されうる。図５に示されるように、従来、ＵＥは、Ｓ１−Ｓ１０によって示されるように、（２０ｄＢとして示される）特定のメトリック範囲内で、さまざまなセル５００から信号を受信しうる。ＵＥは、その後、さまざまなセルからの信号を分離するために、一次同期信号と二次同期信号とを用いて、これら信号における干渉除去を実行するであろう。一般に、おのおのの除去の後、ＵＥは、残りの信号を規格化するであろう。これは、例えば信号強度のような特定のメトリックよって、受信信号を正確にランク付けすることを困難にする。したがって、ＵＥは、（図５においてＳ２として示される）特定の信号が、（図５においてＳ１として示される）実際の最強の受信信号よりも強いと信じうる。なぜなら、これら信号は、規格化後、除去された場合にのみ測定されるからである。
【００３７】
開示されたものは、信号レイヤリングを用いて、近隣のセルを分離し、ランク付けし、除去する方法である。さまざまなセルからの受信信号は、レイヤまたはセットへグループ化される。おのおののレイヤは、特定のメトリック範囲（例えば、信号強度、または、信号対雑音および干渉比）内で同等である受信信号を有する。特定のレイヤ内の信号が、所望のメトリック（例えば、信号強度、または、信号対雑音および干渉比）にしたがってランク付けされる。除去サイクルの開始時において、ＵＥは、レイヤリングおよびランク付けを実行しうる。レイヤリングおよびランク付けが実行されると、ＵＥは、除去の後半のために、判定されたランク付けを使用し続け、受信信号の、繰り返されるランク付けのために特化されるであろう処理リソースを解放する。期間後、除去サイクルが反復しうる。すなわち、ＵＥは、レイヤリングおよびランク付けを再度実行しうる。
【００３８】
図６に示されるように、ＵＥは、ブロック６００において示されるセル信号の番号を受信する。受信信号は、例えば図示するように、信号強度で２０ｄＢのような特定のメトリックに対応する範囲内で変動しうる。本開示では、受信信号は、干渉除去のために、レイヤへグループ化される。図６においてブロック６０２として示される第１のレイヤは、図６においてブロック６０４として示されるような受信信号の次のセットを、第２のレイヤへグループ化する前に、受信信号から除去される。除去の後、次の除去の前に、残りの信号が規格化されうる。レイヤは、図７に示すように、第１のレイヤ内の信号が、連続するレイヤ内の信号よりも高くランク付けられるように、互いに対してランク付けられる。レイヤ１におけるセル７００のグループは、レイヤ２におけるセル７０２のグループよりも高くランク付けられる。各レイヤ内の信号もまた、互いに対してランク付けられうるので、ＵＥは、レイヤ内の信号を、例えば信号強度、または、信号対雑音および干渉比のような選択されたメトリックに基づいて、互いにどのように比較するのかを知っている。例えば、レイヤ１  ７００では、Ｓ１が、Ｓ２およびＳ３が後続する、最高にランク付けられた信号である。
【００３９】
ＵＥは、近隣のセルによって受信された信号を求める探索を、定期的に実行しうる。探索間の期間は、２００乃至８００ミリ秒でありうるが、その他の期間も適用されうる。探索が完了すると、ＵＥは、受信した一次同期信号（ＰＳＳ）の複数のバーストを、タイミング検出のために結合しうる。例えば、４つのバーストが結合されうる。ＵＥはその後、受信した二次同期信号（ＳＳＳ）の複数のバーストを、検出のために結合しうる。例えば、４つのバーストが結合されうる。
【００４０】
ＵＥによって受信された先頭の信号が、一緒にグループ化されうる。例えば、あるメトリック範囲内の多くのすべての信号（例えば、あるｄＢ数内の信号）が、レイヤにグループされる。メトリックのうちの最高の値を持つ信号のグルーピングは、レイヤ１においてグループ化されるだろう。１つの態様では、次の受信信号よりもメトリックにおいて一定レベル高い（例えば、最も強い受信信号が、次に強い信号よりも６ｄＢ以上強い）単一の受信信号が存在する場合、レイヤ１は、最高のメトリック値を持つ信号を有するように構築されうる。レイヤ１における信号は、その後、例えば受信されたＳＳＳ強度のような所望のメトリックによってグループ化される。１つの態様では、ＵＥは、受信信号がメトリック範囲外であるかに関わらず、ＰＢＣＨ確認をレイヤ１に含める任意の信号を含みうる。各セル信号について、ＵＥは、例えばセルＩＤ、ラジオ・フレーム境界タイミング情報、サイクリック・プレフィクス（ＣＰ）情報、タイム・スタンプ、およびレイヤ情報のようなさまざまなデータを記録しうる。
【００４１】
その後、レイヤ１に信号について、干渉除去（ＩＣ）が実行される。再構築された信号をスケールするために除去係数が使用される場合、ソフトＩＣが適用されうる。グローバル・セル情報において、特定のセルのために、周波数誤差情報が利用可能である場合、除去パフォーマンスを高めるために、該当セルに対して、周波数誤差回転が適用されうる。除去後、次の除去の前に、残りの信号が規格化されうる。その後、除去されていない残りのセルを識別するために、別の探索が実行されうる。ＵＥは、残りのセルのこのセットから、レイヤ１について前述された方法と同様に、最も強いセルの次のセットを判定しうる。最も強いセルの次のセットは、レイヤ２へグループ化されるだろう。レイヤ２内のセルもまた、所望のメトリックにしたがってランク付けされうる。レイヤ１において、セルについて記録されたように、類似の情報が、これらのセルについても記録される。ＵＥは、受信信号を、３、４、またはそれ以上のレイヤへグループ化するために、この処理を続ける。
【００４２】
その後ＵＥは、後の使用のために、レイヤへの信号のグルーピングおよびランク付けを、セル・リスト内に保持しうる。図８は、レイヤ１  ８２０、レイヤ２  ８３０、乃至レイヤＮ  ８４０のためのセルを含む、このようなセル・リスト８１０のサンプルを示す。ＵＥはその後、基準信号受信電力（ＲＳＲＰ：reference signal received power）測定をスケジュールし、ＲＳＲＰ測定に基づいて、セル・リスト内のセルのランク付けを調節しうる。
【００４３】
このランク付けは、その後、例えば、ＢＨＡＴＴＡＤらの名前で２０１０年９月７日に出願された米国仮出願６１／３８０，５８８号に記載された共通基準信号（ＣＲＳ）ＩＣまたは物理ブロードキャスト・チャネル（ＰＢＣＨ）ＩＣのようなその他の論理動作のために使用されうる。この開示は、全体が参照によって本明細書に明らかに組み込まれている。同様に、本開示のレイヤ・ランク付けを改善するために、ＣＲＳ分析が使用されうる。
【００４４】
次の近隣のセルの探索サイクルのために、ＵＥによって、セル・リストも使用されうる。セル・リストによって、サイクルは、受信したセルをランク付けするステップをスキップし、確立されたランク付けおよびセル・リストを用いて干渉除去を実行できるようになるので、次の探索サイクルのためのセル・リストを用いることによって、より少ない処理リソースを用いてサイクルが実行されるようになるであろう。したがって、節電が達成される。多くのサイクルの後、ＵＥは、このセル・リストが正しいことを確証するために、セル・レイヤリングと、ランク付けとを再度実行しうる。
【００４５】
図９Ａは、探索およびレイヤリングのサンプル・ブロック９００を示す。ブロック９０２では、近隣のセル信号を求める探索がなされる。ブロック９０４では、信号の第１のセットが、レイヤ１へグループ化され、ＩＣが実行される。ブロック９０６では、残りの近隣のセルの信号を求める探索がなされる。ブロック９０８では、残りの近隣のセルの信号からの信号の第２のセットがレイヤ２にグループ化され、ＩＣが実行される。この処理は、ＵＥが探索を完了するまで反復される。レイヤがランク付けされ、各レイヤ内の信号もまたランク付けされうる。
【００４６】
これらのブロックのおのおのは、一定量の処理リソースおよび時間を費やす。例えば、図９Ｂに示すように、探索およびレイヤリングのブロック９００は、１６０ミリ秒を費やす。しかしながら、ブロック９００においてレイヤリングが終了すると、図９Ｂにおいて８０ミリ秒として示すように、干渉除去をより短い時間で完了させるために、近隣セル探索サイクル９１０、９２０は、ブロック９００のレイヤリング結果を利用しうる。したがって、リソース使用量を低減するために、その後のセル・サイクルによって、レイヤリング結果およびセル・リストが使用されうる。図９Ｂにおいて５００−８００ミリ秒として示されている期間（ただし、この期間は調節されうる）後、新たなブロック９３０が、このレイヤリングおよびランク付け処理を反復しうる。したがって、この新たなブロックは、ブロック９００のための同じ時間長さである１６０ミリ秒として例示されているように、実行するのに、より長い時間を費やすであろう。
【００４７】
図１０は、本開示の１つの態様にしたがったレイヤ干渉除去を例示するフロー図である。まず、ＵＥは、ブロック１０００に示すように、近隣のセルからの受信信号を求めて、探索を行う。ＵＥは、その後、ブロック１００２に示すように、受信信号の第１のセットを、第１のレイヤへグループ化する。ＵＥは、その後、ブロック１００４に示すように、受信信号の第１のセットにおける干渉除去（ＩＣ）を実行する。ブロック１００６に示すように、ＵＥは、その後、ＩＣを実行した後、近隣のセルからの残りの受信信号を求めて、探索する。次に、ＵＥは、ブロック１００８に示すように、受信信号の第２のセットを、第２のレイヤへグループ化する。その後、ＵＥは、ブロック１０１０に示すように、レイヤ情報に少なくとも部分的に基づいて、受信信号の第１のセットと第２のセットとをランク付けする。
【００４８】
１つの構成では、ＵＥ１２０は、無線通信ネットワークにおいて、近隣のセルから受信した信号をランク付けする方法を用いた無線通信のために構成されている。ＵＥは、近隣のセルからの受信信号を求めて、探索する手段と、受信信号の第１のセットをグループ化する手段とを含む。ＵＥはさらに、受信信号の第１のセットにおいて干渉除去（ＩＣ）を実行する手段と、受信信号の第２のセットをグループ化する手段とを含む。ＵＥはさらに、第１のセットおよび第２のセットにおける受信信号をランク付けする手段を含む。
【００４９】
１つの態様では、前述した手段は、前述した手段によって説明された機能を実行するように構成された、プロセッサ（単数または複数）、コントローラ／プロセッサ４８０、メモリ４８２、受信プロセッサ４５８、ＭＩＭＯ検出器４５６、およびアンテナ４５２ａ、４５２ｒでありうる。別の態様では、前述の手段は、前述の手段によって記述された機能を実行するように構成されたモジュールまたは任意の装置でありうる。
【００５０】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５１】
図１０における機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００５２】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００５３】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５４】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００５５】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００５６】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［Ｃ１］
無線通信ネットワークにおける近隣のセルからの受信信号をランク付けする方法であって、
前記近隣のセルからの受信信号を求めて、探索することと、
前記受信信号の第１のセットをグループ化することと、
前記受信信号の第１のセットにおいて干渉除去（ＩＣ）を実行することと、
前記受信信号の第２のセットをグループ化することと、ここで、前記第２のセットは、残りの受信信号からの信号を備える、
前記第１のセットおよび前記第２のセットにおける受信信号をランク付けすることと、ここで、前記ランク付けすることは、所与のどのセットが所与の受信信号を含むのかに基づいて、所与の受信信号のランクを決定することを備える、を備える方法。
［Ｃ２］
前記受信信号の第１のセットのＩＣを実行した後、前記近隣のセルからの残りの受信信号を求めて、探索すること、をさらに備えるＣ１に記載の方法。
［Ｃ３］
前記受信信号の第１のセットのＩＣを実行した後、前記残りの受信信号を規格化すること、をさらに備えるＣ１に記載の方法。
［Ｃ４］
前記ランク付けはさらに、所与のセット内の所与の受信信号の優先度に基づく、Ｃ１に記載の方法。
［Ｃ５］
前記受信信号は、一次同期信号（ＰＳＳ）および二次同期信号（ＳＳＳ）を含む、Ｃ１に記載の方法。
［Ｃ６］
別の論理動作において、次の近隣セル探索サイクルとＩＣとのうちの少なくとも１つの間に、前記ランク付けすることを適用すること、をさらに備えるＣ１に記載の方法。
［Ｃ７］
前記第１のセットをグループ化することと、前記第２のセットをグループ化することとはさらに、信号強度、物理ブロードキャスト・チャネル確認、セル特有の基準シグナリング（ＣＲＳ）、およびチャネル状態情報基準シグナリング（ＣＳＩ−ＲＳ）のうちの少なくとも１つに、少なくとも部分的に基づいてグループ化することを備える、Ｃ１に記載の方法。
［Ｃ８］
後のＩＣのために前記ランク付けを使用すること、をさらに備えるＣ１に記載の方法。
［Ｃ９］
各受信信号について、セルＩＤ、ラジオ・フレーム境界タイミング情報、サイクリック・プレフィクス（ＣＰ）情報、タイム・スタンプ、およびレイヤ情報のうちの少なくとも１つを記録すること、をさらに備えるＣ１に記載の方法。
［Ｃ１０］
無線通信ネットワークにおける近隣のセルからの受信信号をランク付けするように構成された装置であって、
前記近隣のセルからの受信信号を求めて、探索する手段と、
前記受信信号の第１のセットをグループ化する手段と、
前記受信信号の第１のセットにおいて干渉除去（ＩＣ）を実行する手段と、
前記受信信号の第２のセットをグループ化する手段と、ここで、前記第２のセットは、残りの受信信号からの信号を備える、
所与のどのセットが所与の受信信号を含むのかに基づいて、所与の受信信号のランクを決定することによって、前記第１のセットおよび前記第２のセット内の受信信号をランク付けする手段と、を備える装置。
［Ｃ１１］
前記受信信号の第１のセットのＩＣを実行した後、前記近隣のセルからの残りの受信信号を求めて、探索する手段、をさらに備えるＣ１０に記載の装置。
［Ｃ１２］
前記ランク付けはさらに、所与のセット内の所与の受信信号の優先度に基づく、Ｃ１０に記載の装置。
［Ｃ１３］
別の論理動作において、次の近隣セル探索サイクルとＩＣとのうちの少なくとも１つの間に、前記ランク付けを適用する手段、をさらに備えるＣ１０に記載の装置。
［Ｃ１４］
後のＩＣのために前記ランク付けを使用する手段、をさらに備えるＣ１０に記載の装置。
［Ｃ１５］
無線通信ネットワークにおける近隣のセルからの受信信号をランク付けするように構成されたコンピュータ・プログラム製品であって、
前記コンピュータ・プログラム製品は、記録されたプログラム・コードを有するコンピュータ読取可能な媒体を備え、前記プログラム・コードは、
前記近隣のセルからの受信信号を求めて、探索するためのプログラム・コードと、
前記受信信号の第１のセットをグループ化するためのプログラム・コードと、
前記受信信号の第１のセットにおいて干渉除去（ＩＣ）を実行するためのプログラム・コードと、
前記受信信号の第２のセットをグループ化するためのプログラム・コードと、ここで、前記第２のセットは、残りの受信信号からの信号を備える、
所与のどのセットが所与の受信信号を含むのかに基づいて、所与の受信信号のランクを決定することによって、前記第１のセットおよび前記第２のセット内の受信信号をランク付けするためのプログラム・コードと、を備えるコンピュータ・プログラム製品。
［Ｃ１６］
前記受信信号の第１のセットのＩＣを実行した後、前記近隣のセルからの残りの受信信号を求めて、探索するためのプログラム・コード、をさらに備えるＣ１５に記載のコンピュータ・プログラム製品。
［Ｃ１７］
前記ランク付けはさらに、所与のセット内の所与の受信信号の優先度に基づく、Ｃ１５に記載のコンピュータ・プログラム製品。
［Ｃ１８］
別の論理動作において、次の近隣セル探索サイクルとＩＣとのうちの少なくとも１つの間に、前記ランク付けすることを適用するためのプログラム・コード、をさらに備えるＣ１５に記載のコンピュータ・プログラム製品。
［Ｃ１９］
後のＩＣのために前記ランク付けを使用するためのプログラム・コード、をさらに備えるＣ１５に記載のコンピュータ・プログラム製品。
［Ｃ２０］
無線通信ネットワークにおける近隣のセルからの受信信号をランク付けするように構成された装置であって、
少なくとも１つのプロセッサと、前記少なくとも１つのプロセッサに接続されたメモリとを備え、
前記少なくとも１つのプロセッサは、
前記近隣のセルからの受信信号を求めて、探索し、
前記受信信号の第１のセットをグループ化し、
前記受信信号の第１のセットにおいて干渉除去（ＩＣ）を実行し、
前記受信信号の第２のセットをグループ化し、ここで、前記第２のセットは、残りの受信信号からの信号を備える、
所与のどのセットが所与の受信信号を含むのかに基づいて、所与の受信信号のランクを決定することによって、第１のセットおよび第２のセット内の受信信号をランク付けする、ように構成された装置。
［Ｃ２１］
前記少なくとも１つのプロセッサはさらに、前記受信信号の第１のセットのＩＣを実行した後、前記近隣のセルからの残りの受信信号を求めて、探索する、ように構成されたＣ２０に記載の装置。
［Ｃ２２］
前記少なくとも１つのプロセッサはさらに、前記受信信号の第１のセットのＩＣを実行した後、前記残りの受信信号を規格化する、ように構成されたＣ２０に記載の装置。
［Ｃ２３］
前記ランク付けはさらに、所与のセット内の所与の受信信号の優先度に基づく、Ｃ２０に記載の装置。
［Ｃ２４］
前記受信信号は、一次同期信号（ＰＳＳ）および二次同期信号（ＳＳＳ）を含む、Ｃ２０に記載の装置。
［Ｃ２５］
前記少なくとも１つのプロセッサはさらに、別の論理動作において、次の近隣セル探索サイクルとＩＣとのうちの少なくとも１つの間に、前記ランク付けすることを適用するように構成された、Ｃ２０に記載の装置。
［Ｃ２６］
前記少なくとも１つのプロセッサはさらに、信号強度、物理ブロードキャスト・チャネル確認、セル特有の基準シグナリング（ＣＲＳ）、およびチャネル状態情報基準シグナリング（ＣＳＩ−ＲＳ）のうちの少なくとも１つに、少なくとも部分的に基づいて、前記第１のセットおよび前記第２のセットをグループ化するように構成された、Ｃ２０に記載の装置。
［Ｃ２７］
前記少なくとも１つのプロセッサはさらに、後のＩＣのために前記ランク付けを使用するように構成された、Ｃ２０に記載の装置。
［Ｃ２８］
前記少なくとも１つのプロセッサはさらに、各受信信号について、セルＩＤ、ラジオ・フレーム境界タイミング情報、サイクリック・プレフィクス（ＣＰ）情報、タイム・スタンプ、およびレイヤ情報のうちの少なくとも１つを記録するように構成された、Ｃ２０に記載の装置。
【図１】
0005437501.tif 000002
【図２】
0005437501.tif 000003
【図３】
0005437501.tif 000004
【図４】
0005437501.tif 000005
【図５】
0005437501.tif 000006
【図６】
0005437501.tif 000007
【図７】
0005437501.tif 000008
【図８】
0005437501.tif 000009
【図９Ａ】
0005437501.tif 000010
【図９Ｂ】
0005437501.tif 000011
【図１０】
0005437501.tif 000012